(57)【要約】【課題】大型機器も複雑な形状をした機器も、コンパクトに梱包し、繰り返し使用可能とする。【解決手段】内容物１０を載せた状態で、当該内容物１０の一方の側面と接する部分が押圧力により沈み込んで凹陥部９が形成されるブロック状のクッション材１１と、内容物１０の他方の側面に接して、内容物１０をクッション材１１に向かって押圧する弾性フィルム１２と、該弾性フィルム１２の周縁部を固定した弾性フィルムより固い枠体１３と、クッション材１１と枠体１３との間に内容物１０を挟んだ状態で、両者の相対的な位置関係を一定に保持する保持材（１５、１６、１７）とを備える。【選択図】図１
2007069937.tif 000002
【特許請求の範囲】
【請求項１】
内容物を載せた状態で、当該内容物の一方の側面と接する部分が押圧力により沈み込んで凹陥部が形成されるブロック状のクッション材と、
前記内容物の他方の側面に接して、前記内容物を前記クッション材に向かって押圧する弾性フィルムと、
当該弾性フィルムの周縁部を固定した弾性フィルムより固い枠体と、
前記クッション材と前記枠体との間に前記内容物を挟んだ状態で、両者の相対的な位置関係を一定に保持する保持材とを備えたことを特徴とする梱包部材。
【請求項２】
請求項１に記載の梱包部材において、
前記クッション材は、前記内容物と接する面が柔軟で、この面と反対側の底面は相対的に固い板状体とされ、
前記保持材は、前記枠体と前記板状体の両方に固定されていることを特徴とする梱包部材。
【請求項３】
請求項１または２に記載の梱包部材において、
前記クッション材と前記枠体とは、両者が対向する面から見てほぼ同一サイズの同一形状であって、
前記クッション材と前記枠体の側面全周を包囲する筒体を備えたことを特徴とする梱包部材。
【請求項４】
請求項１乃至３のいずれかに記載の梱包部材において、
第１の内容物を押圧する弾性フィルムと、第２の内容物を載せたクッション材とが対向するように複数の梱包部材が積層された状態で、
前記弾性フィルムと前記クッション材との間に所定の空間を形成する長さのスペーサを設けたことを特徴とする梱包部材。
【請求項５】
請求項１乃至３のいずれかに記載の梱包部材において、
前記保持材は、前記クッション材と前記弾性フィルムの枠体を結束し、前記弾性フィルムよりも剛性の高いバンドから成ることを特徴とする梱包部材。
【請求項６】
請求項２または３に記載の梱包部材において、
前記保持材は、前記弾性フィルムの枠体とクッション材底面の板状体に固定され、かつ、前記枠体と前記板状体との間隔を伸縮する伸縮機構を備えたことを特徴とする梱包部材。
【請求項７】
複数の内容物の間に挟まれて使用されるものであって、
前記内容物を載せた状態で、当該内容物に接する部分が押圧力により沈み込んで凹陥部が形成されるブロック状のクッション材と、
前記内容物に接して、当該内容物を弾性力により押圧する弾性フィルムと、
前記弾性フィルムの周縁部を固定した、弾性フィルムより固い枠体と、
前記クッション材と前記枠体とを一定間隔を開けて連結した連結材とから成ることを特徴とする梱包部材。
【請求項８】
請求項７に記載の梱包部材において、
前記連結材で連結した前記クッション材と前記弾性フィルムを固定した前記枠体とを複数の内容物の間に挟んだ状態で、前記連結材を相互に固定する固定部材を設けたことを特徴とする梱包部材。
【請求項９】
請求項２乃至８のいずれかに記載の梱包部材において、
前記枠体は、１本以上の格子により２以上の区画に分割されていることを特徴とする梱包部材。
【請求項１０】
内容物を載せた状態で、当該内容物に接する部分が押圧力により沈み込んで凹陥部が形成されるブロック状のクッション材と、前記内容物に接して、前記内容物を弾性力により押圧する弾性フィルムと、前記弾性フィルムの周縁部を固定した、当該弾性フィルムより固い枠体と、前記クッション材と前記枠体とを一定間隔を開けて連結した連結材とから成る梱包部材を、隣接する内容物の間に挟み込むように順に積層し、隣接する前記各クッション材と前記枠体の間隔をほぼ等しい間隔に保持して固定することを特徴とする梱包方法。
【発明の詳細な説明】
【技術分野】
【０００１】
本発明は、精密機器などの輸送に適する梱包部材と梱包方法に関する。
【背景技術】
【０００２】
パーソナルコンピュータやプリンタ、液晶ディスプレイなどの電子機器の包装には、様々な工夫が施されているが、発泡スチロールやダンボールを使用した包装材を、機器の輸送終了後にそのまま廃棄すると、資源の有効利用の面から見て弊害が大きい。大量の廃棄物が発生するという問題もあった。そこで、弾性フィルムによってこれらの機材を挟み込むようにして梱包する方法が開発された。弾性フィルムは、そのまま箱と共に送り返され、繰り返し使用される（特許文献１）。
【特許文献１】特開２００１−２９４２７２号公報
【発明の開示】
【発明が解決しようとする課題】
【０００３】
ここで、従来の技術には、次のような解決すべき課題があった。上と下から２枚の弾性フィルムで機材を挟み付ける方法は、複雑なパッキングや固定用の部品が不要で、作業性を大いに改善する効果がある。また、廃棄せずに再利用ができて汎用性も高い。しかしながら、機材が大型になると、十分に面積の広い弾性フィルムを必要とする。従って、梱包が大型化してしまう。一方、十分伸びの大きな弾性フィルムを使えば、弾性フィルムの面積を若干小さくできるが、耐久性や支持強度の面で問題がある。本発明は以上の点に着目してなされたもので、大型機器も、複雑な形状をした機器も、コンパクトに梱包できる梱包部材と梱包方法を提供することを目的とする。
【課題を解決するための手段】
【０００４】
本発明の各実施例においては、それぞれ次のような構成により上記の課題を解決する。
〈構成１〉内容物を載せた状態で、当該内容物の一方の側面と接する部分が押圧力により沈み込んで凹陥部が形成されるブロック状のクッション材と、上記内容物の他方の側面に接して、上記内容物を上記クッション材に向かって押圧する弾性フィルムと、当該弾性フィルムの周縁部を固定した弾性フィルムより固い枠体と、上記クッション材と上記枠体との間に上記内容物を挟んだ状態で、両者の相対的な位置関係を一定に保持する保持材とを備えたことを特徴とする梱包部材。
【０００５】
内容物を弾性フィルムがクッション材に向かって押し付けるので、内容物を安定に固定できる。保持材はその状態を維持する。また、内容物がブロック状のクッション材の凹陥部に位置決めされるので、衝撃に対して異常な振動が加わらない。さらに、弾性フィルムの伸び量を比較的小さく抑えられるので、繰り返し使用されるべき弾性フィルムの耐久性を向上させる。
【０００６】
〈構成２〉構成１に記載の梱包部材において、上記クッション材は、上記内容物と接する面が柔軟で、この面と反対側の底面は相対的に固い板状体とされ、上記保持材は、上記枠体と板状体の両方に固定されていることを特徴とする梱包部材。
【０００７】
クッション材は、内容物と接する面が柔軟で、他の面は相対的に固い構造のものが好ましい。内容物と接する面と反対側の底面は相対的に固い板状体とされているから、クッション材の変形を内容物と接する面だけにすることができる。また、保持材は、枠体と板状体の両方に固定されており、弾性フィルムとクッション材とで内容物を挟んだ状態を保持できる。
【０００８】
〈構成３〉構成１または２に記載の梱包部材において、上記クッション材と枠体とは、両者が対向する面から見てほぼ同一サイズの同一形状であって、上記クッション材と枠体の側面全周を包囲する筒体を備えたことを特徴とする梱包部材。
【０００９】
クッション材と枠体とが、両者が対向する面から見て外形がほぼ同一のサイズで同一形状ならば、筒状の保護カバー（筒体）で保護できる。筒体の長さはクッション材と弾性フィルム全体を覆い隠すように、枠体の側面全周を包囲するとよい。これで、簡便に内容物の包装ができる。
【００１０】
〈構成４〉構成１乃至３のいずれかに記載の梱包部材において、第１の内容物を押圧する弾性フィルムと、第２の内容物を載せたクッション材とが対向するように複数の梱包部材が積層された状態で、上記弾性フィルムと上記クッション材との間に所定の空間を形成する長さのスペーサを設けたことを特徴とする梱包部材。
【００１１】
スペーサで積み上げ間隔を保つので、複数組の梱包部材を積層したときに、弾性フィルムで押さえた内容物が別の内容物を載せたクッション材の底の部分に衝突することがない。
【００１２】
〈構成５〉構成１乃至３のいずれかに記載の梱包部材において、上記保持材は、上記クッション材と上記弾性フィルムの枠体を結束し、上記弾性フィルムよりも剛性の高いバンドから成ることを特徴とする梱包部材。
【００１３】
弾性フィルムよりも剛性の高いバンドで、クッション材と弾性フィルムの枠体を結束するので、弾性フィルムを引き延ばして内容物を十分包囲しながら、クッション材と枠体の間隔を適正な状態に保持できる。
【００１４】
〈構成６〉構成２または３に記載の梱包部材において、上記保持材は、上記弾性フィルムの枠体とクッション材底面の板状体に固定され、かつ、上記枠体と板状体との間隔を伸縮する伸縮機構を備えたことを特徴とする梱包部材。
【００１５】
弾性フィルムとクッション材とで内容物を挟んだとき、最適な状態を保持するために、枠体と板状体との間隔を自由に変更して調整できる伸縮機構を設けた。
【００１６】
〈構成７〉複数の内容物の間に挟まれて使用されるものであって、内容物を載せた状態で、当該内容物に接する部分が押圧力により沈み込んで凹陥部が形成されるブロック状のクッション材と、内容物に接して、上記内容物を弾性力により押圧する弾性フィルムと、当該弾性フィルムの周縁部を固定した弾性フィルムより固い枠体と、上記クッション材と上記枠体とを一定間隔を開けて連結した連結材とから成ることを特徴とする梱包部材。
【００１７】
クッション材と弾性フィルムを固定した枠体とを連結材で連結したものを、複数の内容物のスペーサのように使用すると、複数の内容物の適切な固定と梱包が一挙にできる。
【００１８】
〈構成８〉構成７に記載の梱包部材において、連結材で連結したクッション材と弾性フィルムを固定した枠体とを複数の内容物の間に挟んだ状態で、上記連結材を相互に固定する固定部材を設けたことを特徴とする梱包部材。
【００１９】
クッション材と枠体とを連結した連結材を、内容物を挟んだ状態で相互に連結固定することにより、複数の内容物を挟んで一括包装することができる。
【００２０】
〈構成９〉構成２乃至８のいずれかに記載の梱包部材において、上記枠体は、１本以上の格子により２以上の区画に分割されていることを特徴とする梱包部材。
【００２１】
枠体が、１本以上の格子により２以上の区画に分割されていると、２以上の内容物を同時にクッション材に押し付けることができる。従って、複数の部材から成る内容物を効率よく梱包することができる。
【００２２】
〈構成１０〉内容物を載せた状態で、当該内容物に接する部分が押圧力により沈み込んで凹陥部が形成されるブロック状のクッション材と、内容物に接して、上記内容物を弾性力により押圧する弾性フィルムと、当該弾性フィルムの周縁部を固定した弾性フィルムより固い枠体と、上記クッション材と上記枠体とを一定間隔を開けて連結した連結材とから成る梱包部材を、隣接する内容物の間に挟み込むように順に積層し、隣接する各クッション材と枠体の間隔をほぼ等しい間隔に保持して固定することを特徴とする梱包方法。
【発明を実施するための最良の形態】
【００２３】
本発明では、ブロック状のクッション材と弾性フィルムを使用し、内容物を挟むようにして梱包する。ノートパソコンのように厚さの小さいものは弾性フィルム２枚で挟む構造が適する。一方、プリンタのように厚みのあるものの場合には、姿勢を安定させて強く固定するために、上下ともに広いフィルムが必要である。箱の高さも余裕を持たせる必要がある。これに対して、クッション材と弾性フィルムとを組合せると、弾性フィルム２枚で挟む構造に比べて、内容物をより安定させることができる。従って、梱包箱の大きさを最小限に抑えることができる。以下、本発明の実施の形態を実施例毎に詳細に説明する。
【実施例１】
【００２４】
図１は、実施例１の梱包部材の断面図である。
この梱包部材で梱包されている内容物１０は、例えば、パーソナルコンピュータ用のプリンタ、液晶ディスプレイ等の精密電子機器である。この内容物１０は、一方の側面（図中底面）がクッション材１１の上に載せられている。クッション材１１は、例えば、発泡ポリウレタン等の、外圧により自在に変形するスポンジにより形成されている。この内容物１０は、他方の側面（図中上面）が弾性フィルム１２により上方から下方へ向かって押圧されている。弾性フィルムは、例えば、伸縮性のあるゴムやプラスチックにより形成されている。クッション材１１は、内容物１０を上に載せた状態で、内容物１０の一方の側面と接する部分が押圧力により沈み込み、凹陥部９が形成されている。弾性フィルム１２は、その周縁部１２Ａが四辺形の枠体１３に接着剤等を介して固定されている。枠体１３は、弾性フィルム１２より十分に固い材質、例えば、木や硬質プラスチックにより形成されている。
【００２５】
クッション材１１の底面には、クッション材１１よりも十分に固い板状体１４が貼り付けられている。板状体１４は、例えば、木や硬質プラスチックにより形成されている。クッション材１１は、内容物１０と接する面が十分柔軟な構造とされている。板状体１４と枠体１３とは、バンド１５により連結されている。バンド１５は、一端部が板状体１４にボルト１６を用いて固定され、反対側の端にはフック１７が固定されている。フック１７は、強化プラスチックなどにより構成されている。バンド１５は、プラスチックフィルムや紐や布などから構成されている。この図に示す例では、クッション材１１と弾性フィルム１２とで内容物１０を挟んだ状態で箱１８にこれらを収容している。バンド１５は、クッション材１１と枠体１４との間に内容物１０を挟んだ状態で、枠体１３と板状体１４との距離を一定に保持する保持材である。箱１８の上縁にはガイド部材１９が設けられている。ガイド部材１９は、箱１８の上に全く同一形状の箱を積層するとき、上下の箱の位置決めをするためのもので、箱１８の外周縁に、一部が上方に突出した状態で設けられている。
【００２６】
なお、内容物１０の形状や材質は任意である。この梱包部材は衝撃と振動を嫌う精密機器の梱包に適する。枠体１３とクッション材１１のサイズや形状は任意である。クッション材１１は、ブロック状であって、少なくとも、内容物１０を載せた状態で、内容物１０の一方の側面と接する部分が押圧力により沈み込んで凹陥部９が形成される程度の柔軟性が要求される。弾性フィルム１２は、シート状でも網状でもよく、縦横のいずれの方向にも伸縮自在であることが好ましい。また、その弾性で、内容物１０の他方の側面に接して、内容物１０をクッション材１１に向かって押圧するものが望ましい。枠体１３は、弾性フィルム１２が伸縮しても、周縁部を一定の形状に固定するためのものである。枠体１３は変形しないように弾性フィルム１２よりも固い材料により形成されている。
【００２７】
バンド１５や箱１８は、クッション材１１と枠体１３との相対的な位置関係を一定に保持することで、内容物１０を挟んだ状態で、その姿勢を安定に保持することができる。箱１８の形状や構造は、クッション材と枠体の形状に応じて選定されるとよい。クッション材１１は、少なくとも内容物１０と接する面が柔軟であればよい。この面と反対側の底面は相対的に固い板状体であることが好ましい。クッション材１１の周囲を板状体で包囲してもよいし、クッション材１１自体の側面や底面が硬化されていてもよい。
【００２８】
図２は、図１に示した梱包部材の分解斜視図である。
図において、梱包を開始する前には、クッション材１１を始めに下に置いて内容物１０をその上に載せる。次に弾性フィルム１２を固定した枠体１３を内容物１０の上に載せて、弾性フィルム１２が予め予定されただけ伸びるように上から押圧力を加える。その状態でフック１７を枠体１３に引っ掛ける。これで枠体１３とクッション材１１や板状体１４との間に内容物１０を挟み込むことができる。バンド１５は伸びない。このような構成にすると、蓋のない箱１８に収容して、図１に示したように、何段も積み重ねて輸送することができる。
【００２９】
内容物１０が大型になっても、クッション材１１側に大きな凹陥部９が形成されるので、弾性フィルム１２の伸びが比較的少なくても安定に内容物１０を梱包をすることができる。上も下も弾性フィルムにした場合に比べて、弾性フィルム１２の伸びが十分小さくて構わない。弾性フィルム１２に接する内容物の一方の側面（図中上面）は、平坦でなくても凹凸があっても構わない。もちろんクッション材１１に接する内容物１０の他方の側面（図中底面）も複雑な凹凸があって構わない。いずれの場合にも容易に内容物１０を挟んで固定することができる。弾性フィルム１２により内容物１０をクッション材１１側に押圧する力が、内容物１０を箱などの内部に支持している力である。外部からの衝撃は、クッション材１１が緩和する。従って、クッション材１１は、内容物と接する面が柔軟であれば、他の部分は固いものでも構わない。
【００３０】
また、図の例のように、筒状の箱１８に収容する場合には、枠体１３とクッション材１１とは、その対向する面から見て外形がほぼ同一サイズの同一形状であることが好ましい。その外形の形状は、方形でも円形でも多角形でも構わない。これによって箱１８の内部に、ガタつきなく収めることができる。また、箱１８は、クッション材１１と枠体１３の側面全周を包囲する筒体であることが好ましい。これにより内容物１０の全体を包囲し、輸送中の衝撃から保護することができる。箱１８は、必ずしも底がなくて構わない。蓋もなくて構わない。枠体１３とクッション材１１とで挟まれた内容物１０が飛び出さないように、例えば、バンドなどで巻かれていればよい。なお、弾性フィルム１２で内容物１０を押圧する押圧力は、予め内容物１０の強度や重量などによって最適な値に選定される。従って、枠体１３と板状体１４との距離を予め計算しておき、バンド１５の長さを決めておく。輸送する内容物が一定のものであれば、専用のバンド１５を使用すればよい。また、輸送する内容物がその都度変わるような場合には、バンド１５の長さが調整できるとよい。
【実施例２】
【００３１】
図３と図４は、実施例２の保持材の長さ調整機構を示す斜視図である。
これらの図では、保持材であるバンドの変形例を示す。図３の右側に示した枠体１３と板状体１４の要部断面図には、バンド１５を通すための孔１３Ａと１４Ａとが示されている。バンド１５は、バックル２１によって自由にその長さを調整できるようにされている。これによって、図２に示した弾性フィルム１２による押圧力を調整するとよい。従って、サイズや形状の一定しない任意の内容物を、調整機構を利用して、適切な力でクッション材に押し付けて梱包をすることができる。図４（ａ）に示すようにベルト２２もベルト孔２３という調整機構を持つ。このようなベルト２２を、図４（ｂ）に示すように枠体１３に設けたピン２４にベルト孔２３を選択してはめ込むことで、押圧力を調整するとよい。図２に示したバンド１５やフック１７に代えてこれらを使用することかできる。上記のバンドは、クッション材と弾性フィルムの枠体を結束して、弾性フィルムを伸ばして引っ張ることができるように、弾性フィルムよりも剛性の高いものであることが好ましい。
【実施例３】
【００３２】
図５は、実施例３の梱包部材の斜視図である。
内容物を載せるためのクッション材１１と板状体１４は、これまでの梱包材と同様の構成で構わない。クッション材１１の上方には弾性フィルム３１を配置する。この弾性フィルム３１は、リンク３２により支持されている。このリンク３２は、板状体１４の左右側面に各一対配置された細長い板により形成されている。２本のリンク３２は、それぞれ中央部に長手方向に延びる長孔３７が設けられ、これらの長孔に取付けられた蝶ねじ３３を中心に開閉可能にされている。この蝶ねじ３３の軸は、１本のリンク３２の長孔に沿ってスライド可能にされている。リンク３２の下端は、板状体１４の側面に配置したピン３５に位置固定される。板状体１４の側面にはピン３５が複数箇所に設けられ、状況に応じて任意のピン３５がリンク３２の下端に接合されるようにしてもよい。
【００３３】
図６はリンクと弾性フィルムとの関係を示す説明図で、図５の一部を示している。
図に示すように、リンク３２（図５）の上端には棒３４が固定されている。この棒３４に、弾性フィルム３１の端が巻き付けて固定されている。弾性フィルム３１は伸縮性があるから、リンク３２を開閉したとき、それに追従して伸縮する。また、リンク３２の上端にある２本の棒３４の間隔を広げると、弾性フィルム３１はクッション材１１のほうに接近する。このときの一対のリンクの軸位置が変わるから、リンク３２には長孔３７（図５）が設けられて、リンクの軸位置の変動に適宜対応している。蝶ねじ３３を緩めてこの軸位置を変更する。
【００３４】
図７は、リンクの動作説明図である。
始めに、図７（ａ）に示すように、リンク３２の下端を板状体１４のピン３５に止めておく。ピン３５の選択は、内容物１０のサイズによればよい。また、蝶ねじ３３は緩めておく。この状態で弾性フィルム３１とクッション材１１の間に内容物１０を挟み込む。そして、リンク３２の上端の間隔が広がり、弾性フィルム３１の位置が低くなるようにする。最後に蝶ねじ３３を締めて、リンクの姿勢を固定する。こうすれば図７（ｂ）に示すように、弾性フィルム３１が伸びて内容物１０をクッション材１１に押し付け、これまで説明した場合と同様に内容物１０を挟み込むことができる。内容物１０の底の部分は板状体１４に保護され、側面はリンク３２によって内容物１０が囲まれているから、このままの状態でも運送は可能である。しかしながら、弾性フィルム３１の上面に衝撃が加わると、内容物１０を保護することができない。このときは、図１や図２に示したような箱１８が利用される。
【００３５】
弾性フィルム３１とクッション材１１とで内容物１０を挟んだときには、内容物１０を適切な力で挟み付ける。予めその条件が明確であれば、一定の形状のバンド１５や箱１８を保持材として使用するとよい。しかしながら、任意の内容物を包装するときは、弾性フィルム３１とクッション材１１の間隔を自由に変更できることが好ましい。そこで、弾性フィルムの枠体とクッション材底面の板状体に固定された伸縮機構を利用する。リンク３２は、その伸縮機構に該当する。リンク上端の棒３４は枠体に相当する。伸縮機構は実施例のようなパンタグラフ状のものでもよいし、ねじ等で間隔を上下に調整できるボルトのようなものでも構わない。
【実施例４】
【００３６】
図８は、実施例４の枠体斜視図である。
この図の例では、弾性フィルム１２を固定した枠体４１を十分高さのある筒状のものにしている。クッション材１１は別の箱４２に収容した。この枠体４１と箱４２の間に、内容物１０を挟み込む。なお、枠体４１と箱４２は、図２や図３で示したバンドやベルトで一体に結束する。このときは、このベルトが保持材になる。
【００３７】
図９は、実施例４の梱包部材断面図である。
図に示すように、クッション材１１が箱４２の中に収容されている。そして、その上に内容物１０が載せられている。さらに、その上に弾性フィルム１２を固定した枠体４１が積み重ねられている。この例では、予め弾性フィルム１２の押圧力を計算し、枠体４１とクッション材１１を収容した箱４２とを密着させた状態で内容物１０に最適な押圧力が加わるようにした。この図の例を見てわかるように、内容物１０は、箱４２と枠体４１とで底面と側面とが完全に包囲されている。上面に全く同様の構成の梱包部材を積み重ねることによって、この状態で安全に内容物１０を輸送できる。
【実施例５】
【００３８】
図１０は、実施例５の梱包部材縦断面図である。
この例の梱包部材は、予めクッション材１１を、枠状の連結材４５と、この連結材４５内の中間部に配置された板状体４６とにより形成された空間に収容し固定し、連結材４５の下端に、弾性フィルム４７を固定することにより構成されている。一番下に、上記梱包部材を配置し、その上に、内容物１０、梱包部材、内容物１０、梱包部材という順に交互に積み上げる。即ち、複数の梱包部材を積み重ねることによって一気に多数の内容物の梱包ができる。連結材４５の、弾性フィルム４７が固定された部分が、弾性フィルム４７の周縁部を固定するこれまでの枠体の役割をする。連結材４５のその他の部分は、クッション材１１と枠体との間隔を保持する保持材の役割する。連結材４５の上縁にはガイド部材４９が設けられている。このガイド部材４９は、連結材４５の上に全く同一形状の連結材４５を積層するとき、上下の位置決めをするためのもので、連結材４５の外周縁に、一部が上方に突出した状態で設けられている。
【００３９】
図１１は、実施例５の梱包部材積み重ね後の状態を示す断面図である。
図のように、連結材４５の上下端を互いに突き合わせるように積み上げると、丁度適度に弾性フィルム４７が伸びて、内容物１０を固定するようになっている。この例は連結材４５のサイズをこの内容物向けに最適に設定してある。上下に隣り合う連結材４５間は、ガイド部材４９で固定する。頑丈に固定する構造でもよいし、簡単な外れ止め程度の固定でも構わない。輸送形態に応じてその連結構造を設定すればよい。
【００４０】
図１１に示す梱包部材は、クッション材１１と弾性フィルム４７とを連結材４５を使用して一定間隔を開けて連結すると、複数の内容物の間にそのまま挟んで一括して包装ができる梱包材になる。連結材４５は板状でも棒状でも構わない。また、連結材４５は、図示のように、クッション材１１と弾性フィルム４７の枠体に相当する部分を包囲する筒体の一部であってもよい。
【００４１】
複数の内容物を積層するときには、最下位の第１の内容物を押圧する弾性フィルムと、その上位の第２の内容物を載せたクッション材とが対向するが、第１の内容物の高さが連結材４５の高さに比べて高い場合には第１の内容物とその上の第２の内容物を載せたクッション材の底の部分に衝突する。このような場合には、弾性フィルムとクッション材との間に、図１１の下部に図示した、所定の空間を形成する長さのスペーサ４４を連結材４５間に介在させれば、弾性フィルムで押さえた内容物が別の内容物を載せたクッション材の底の部分に衝突することを回避できる。スペーサ４４は、板状でも、棒状でもよい。もちろん、クッション材と枠体の側面を包囲する筒体の一部であってもよい。
【００４２】
また、連結材４５を相互に固定する固定部材は、板状のものでも棒状のものでもよい。バックル状のものでもよいし、バンド状のものでもよい。連結材と固定部材とは別体のものでも一体化されたものでも構わない。
【実施例６】
【００４３】
図１２は、実施例６の梱包部材を示す斜視図である。
この図の枠体５０は、１本の格子５１により２以上の区画に分割されている。従って、弾性フィルム１２も２以上の区画に分割されている。これを用いると、各区画に１つずつ内容物を割り当て、これらをクッション材に一括して押し付けることができる。格子５１の数を増やせば、区画数を自由に増減できる。
【００４４】
図１３は、実施例６の梱包部材積み重ね後の状態を示す断面図である。
図に示すように、クッション材１１の上面には、２つの内容物が横に並べて載せられている。これらを中央に格子５１を持つ枠体５０と弾性フィルム１２により押さえ付けている。枠体５０とクッション材１１を収容した箱５３の間の距離は、金具５４により固定されている。この金具５４は、両者の間隔を一定に保つ保持材としての役割を果たす。これを箱などに収納して複数の内容物を一括して輸送することができる。もちろんこれを上下に積み重ねることもできる。なお、枠体５０を１本以上の格子により２以上の区画に分割する場合、その格子の形状も向きも自由である。格子の数も任意である。
【図面の簡単な説明】
【００４５】
【図１】実施例１の梱包部材を示す断面図。
【図２】同梱包部材の分解斜視図。
【図３】実施例２の保持材調整機構を示す斜視図。
【図４】実施例２の別の保持材調整機構を示す斜視図。
【図５】実施例３の梱包部材を示す斜視図。
【図６】リンクと弾性フィルムとの関係を示す説明図。
【図７】リンクの動作説明図。
【図８】実施例４の枠体を示す斜視図。
【図９】実施例４の梱包部材を示す断面図。
【図１０】実施例５の梱包部材を示す縦断面図。
【図１１】実施例５の梱包部材の積み重ね状態を示す断面図。
【図１２】実施例６の梱包部材を示す斜視図。
【図１３】実施例６の梱包部材の積み重ね状態を示す断面図。
【符号の説明】
【００４６】
９  凹陥部、１０  内容物、１１  クッション材、１２  弾性フィルム、１３  枠体、１４  板状体、１５  バンド、１６  ボルト、１７  フック、１８  箱、１９  ガイド部材
【図１】
2007069937.tif 000003
【図２】
2007069937.tif 000004
【図３】
2007069937.tif 000005
【図４】
2007069937.tif 000006
【図５】
2007069937.tif 000007
【図６】
2007069937.tif 000008
【図７】
2007069937.tif 000009
【図８】
2007069937.tif 000010
【図９】
2007069937.tif 000011
【図１０】
2007069937.tif 000012
【図１１】
2007069937.tif 000013
【図１２】
2007069937.tif 000014
【図１３】
2007069937.tif 000015